【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
始動口に対する遊技球の入賞に応じて特別図柄抽選を行い、該特別図柄抽選に係る特別図柄を特別図柄表示装置に変動及び停止表示させる主制御部と、
該主制御部から送信される変動パターンに基づいて、特別図柄抽選に係る演出図柄を演出図柄表示装置に変動及び停止表示させる演出図柄表示制御部と、を備える遊技機において、
前記演出図柄表示装置は、視野角を広視野角と狭視野角とに切り換え可能なものであり、
前記演出図柄表示制御部は、
特別図柄抽選の抽選結果がハズレのときに前記主制御部から送信される変動パターンに基づいて、前記演出図柄表示装置の視野角を狭視野角へ切り換えるとともに、
特別図柄抽選の抽選結果が大当りのときに前記主制御部から送信される変動パターンに基づいて、前記演出図柄表示装置の視野角を広視野角へ切り換えることを特徴とする遊技機。
【請求項２】
始動口に対する遊技球の入賞に応じて特別図柄抽選を行い、該特別図柄抽選に係る特別図柄を特別図柄表示装置に変動及び停止表示させる主制御部と、
該主制御部から送信される変動パターンに基づいて、特別図柄抽選に係る演出図柄を演出図柄表示装置に変動及び停止表示させる演出図柄表示制御部と、を備え、
前記始動口には、所定条件が成立した場合に前記始動口の入口の大きさを拡大させる開放動作を行う普通電動役物が設けられており、
前記主制御部には、特別図柄抽選に用いる当選確率の高低と、普通電動役物の開放動作時間の長短と、を含む複数の所定事項の組み合わせからなる遊技制御条件が複数記憶されており、
前記複数の遊技制御条件には、特別図柄抽選に用いる当選確率が高確率で普通電動役物の開放動作時間の短い隠れ確率変動状態を出現させる遊技制御条件と、特別図柄抽選に用いる当選確率が低確率で普通電動役物の開放動作時間の短い通常遊技状態を出現させる遊技制御条件と、を含む遊技機において、
前記演出図柄表示装置は、視野角を広視野角と狭視野角とに切り換え可能なものであり、
前記演出図柄表示制御部は、
特別図柄抽選に用いる当選確率が高確率で普通電動役物の開放動作時間の短い隠れ確率変動状態を出現させる遊技制御条件下で前記主制御部から送信される変動パターンに基づいて、前記演出図柄表示装置の視野角を広視野角へ切り換えるとともに、
前記遊技条件以外の下で前記主制御部から送信される変動パターンに基づいて、前記演出図柄表示装置の視野角を狭視野角へ切り換えることを特徴とする遊技機。
【請求項３】
始動口に対する遊技球の入賞に応じて特別図柄抽選を行い、該特別図柄抽選に係る特別図柄を特別図柄表示装置に変動及び停止表示させる主制御部と、
該主制御部から送信される変動パターンに基づいて、特別図柄抽選に係る演出図柄を演出図柄表示装置に変動及び停止表示させる演出図柄表示制御部と、を備え、
前記始動口には、所定条件が成立した場合に前記始動口の入口の大きさを拡大させる開放動作を行う普通電動役物が設けられており、
前記主制御部には、特別図柄抽選に用いる当選確率の高低と、普通電動役物の開放動作時間の長短と、を含む複数の所定事項の組み合わせからなる遊技制御条件が複数記憶されており、
前記複数の遊技制御条件には、特別図柄抽選に用いる当選確率が高確率で普通電動役物の開放動作時間の短い隠れ確率変動状態を出現させる遊技制御条件と、特別図柄抽選に用いる当選確率が低確率で普通電動役物の開放動作時間の短い通常遊技状態を出現させる遊技制御条件と、を含み、
前記主制御部は、前記始動口の入賞により得られる特別図柄抽選の権利を、所定数を上限として記憶保留するようになっている遊技機において、
前記演出図柄表示装置は、視野角を広視野角と狭視野角とに切り換え可能なものであり、
前記演出図柄表示制御部は、前記記憶保留の数が特定の数となっているときであって、特別図柄抽選に用いる当選確率が高確率で普通電動役物の開放動作時間の短い隠れ確率変動状態を出現させる遊技制御条件下で前記主制御部から送信される変動パターンに基づいて、前記演出図柄表示装置の視野角を広視野角へ切り換えることを特徴とする遊技機。
【手続補正２】
【補正対象書類名】明細書
【補正対象項目名】０００４
【補正方法】変更
【補正の内容】
【０００４】
本発明は、上記の如き実情に鑑みこれらの課題を解決することを目的として創作されたものであって、請求項１の発明は、始動口に対する遊技球の入賞に応じて特別図柄抽選を行い、該特別図柄抽選に係る特別図柄を特別図柄表示装置に変動及び停止表示させる主制御部と、該主制御部から送信される変動パターンに基づいて、特別図柄抽選に係る演出図柄を演出図柄表示装置に変動及び停止表示させる演出図柄表示制御部と、を備える遊技機において、前記演出図柄表示装置は、視野角を広視野角と狭視野角とに切り換え可能なものであり、前記演出図柄表示制御部は、特別図柄抽選の抽選結果がハズレのときに前記主制御部から送信される変動パターンに基づいて、前記演出図柄表示装置の視野角を狭視野角へ切り換えるとともに、特別図柄抽選の抽選結果が大当りのときに前記主制御部から送信される変動パターンに基づいて、前記演出図柄表示装置の視野角を広視野角へ切り換えることを特徴とする遊技機である。
このようにすると、遊技者に演出図柄表示装置を斜めから覗かせるという新たな参加態様を実現することができる。すなわち、特別図柄抽選の抽選結果など、遊技者にとって興味のある情報が含まれる変動パターンに応じて、演出図柄表示装置の視野角が切り換えられるので、遊技者は、演出図柄表示装置を斜めから覗くという行為により、演出図柄表示装置の視野角を確認することになる。これにより、遊技者参加型の遊技機において、遊技者の参加態様に新たなバリエーションを加え、遊技者の遊技への積極的な参加を促すことができる。
請求項２の発明は、始動口に対する遊技球の入賞に応じて特別図柄抽選を行い、該特別図柄抽選に係る特別図柄を特別図柄表示装置に変動及び停止表示させる主制御部と、該主制御部から送信される変動パターンに基づいて、特別図柄抽選に係る演出図柄を演出図柄表示装置に変動及び停止表示させる演出図柄表示制御部と、を備え、前記始動口には、所定条件が成立した場合に前記始動口の入口の大きさを拡大させる開放動作を行う普通電動役物が設けられており、前記主制御部には、特別図柄抽選に用いる当選確率の高低と、普通電動役物の開放動作時間の長短と、を含む複数の所定事項の組み合わせからなる遊技制御条件が複数記憶されており、前記複数の遊技制御条件には、特別図柄抽選に用いる当選確率が高確率で普通電動役物の開放動作時間の短い隠れ確率変動状態を出現させる遊技制御条件と、特別図柄抽選に用いる当選確率が低確率で普通電動役物の開放動作時間の短い通常遊技状態を出現させる遊技制御条件と、を含む遊技機において、前記演出図柄表示装置は、視野角を広視野角と狭視野角とに切り換え可能なものであり、前記演出図柄表示制御部は、特別図柄抽選に用いる当選確率が高確率で普通電動役物の開放動作時間の短い隠れ確率変動状態を出現させる遊技制御条件下で前記主制御部から送信される変動パターンに基づいて、前記演出図柄表示装置の視野角を広視野角へ切り換えるとともに、前記遊技条件以外の下で前記主制御部から送信される変動パターンに基づいて、前記演出図柄表示装置の視野角を狭視野角へ切り換えることを特徴とする遊技機である。
このようにすると、隠れ確率変動状態であるか否かに応じて、演出図柄表示装置の視野角が切り換えられるので、演出図柄表示装置を斜めから覗くという新たな遊技者参加態様への参加率を高めることができる。
請求項３の発明は、始動口に対する遊技球の入賞に応じて特別図柄抽選を行い、該特別図柄抽選に係る特別図柄を特別図柄表示装置に変動及び停止表示させる主制御部と、該主制御部から送信される変動パターンに基づいて、特別図柄抽選に係る演出図柄を演出図柄表示装置に変動及び停止表示させる演出図柄表示制御部と、を備え、前記始動口には、所定条件が成立した場合に前記始動口の入口の大きさを拡大させる開放動作を行う普通電動役物が設けられており、前記主制御部には、特別図柄抽選に用いる当選確率の高低と、普通電動役物の開放動作時間の長短と、を含む複数の所定事項の組み合わせからなる遊技制御条件が複数記憶されており、前記複数の遊技制御条件には、特別図柄抽選に用いる当選確率が高確率で普通電動役物の開放動作時間の短い隠れ確率変動状態を出現させる遊技制御条件と、特別図柄抽選に用いる当選確率が低確率で普通電動役物の開放動作時間の短い通常遊技状態を出現させる遊技制御条件と、を含み、前記主制御部は、前記始動口の入賞により得られる特別図柄抽選の権利を、所定数を上限として記憶保留するようになっている遊技機において、前記演出図柄表示装置は、視野角を広視野角と狭視野角とに切り換え可能なものであり、前記演出図柄表示制御部は、前記記憶保留の数が特定の数となっているときであって、特別図柄抽選に用いる当選確率が高確率で普通電動役物の開放動作時間の短い隠れ確率変動状態を出現させる遊技制御条件下で前記主制御部から送信される変動パターンに基づいて、前記演出図柄表示装置の視野角を広視野角へ切り換えることを特徴とする遊技機である。
このようにすると、記憶保留の数が特定の数となっているとき、視野角の切り換えが行われるので、遊技者参加型の遊技機に攻略的な遊技要素を加味することができる。また、このようにすると、遊技をしていない者に対して、視野角の切り換えによる告知を行わないようにすることができるので、ホールの利益率を低下させることがない仕様とできる。